(57)【要約】  使用状況に応じて遮断機能の程度を調整することが可能なマスクを提供する。マスク（１）は、本体部（１２）、本体部（１４）、固定部（２２）、及び固定部（２４）を備えている。本体部（１２，１４）は、装着者の口を覆う部分であり、互いに別体に設けられている。本体部（１２）の左右両側には、本体部（１２）を装着者の顔に固定するための固定部（２２）が設けられている。本体部（１４）の左右両側には、本体部（１４）を装着者の顔に固定するための固定部（２４）が設けられている。
2017187590.tif 000002
【特許請求の範囲】
【請求項１】
互いに別体に設けられ、装着者の口を覆う第１及び第２の本体部と、  前記第１の本体部の左右両側に設けられ、当該第１の本体部を前記装着者の顔に固定するための第１の固定部と、  前記第２の本体部の左右両側に設けられ、当該第２の本体部を前記装着者の顔に固定するための第２の固定部と、  を備えることを特徴とするマスク。
【請求項２】
請求項１に記載のマスクにおいて、  前記第２の本体部は、前記第１の本体部よりも小さいマスク。
【請求項３】
請求項２に記載のマスクにおいて、  前記第１及び第２の本体部は、矩形をしているマスク。
【請求項４】
請求項３に記載のマスクにおいて、  前記第２の本体部の上下方向の長さは、前記第１の本体部の上下方向の長さよりも小さいマスク。
【請求項５】
請求項３又は４に記載のマスクにおいて、  前記第２の本体部の左右方向の長さは、前記第１の本体部の左右方向の長さよりも小さいマスク。
【請求項６】
請求項２乃至５の何れかに記載のマスクにおいて、  前記第１及び第２の本体部の中心が一致するようにして当該第１及び第２の本体部が重ね合わされた状態のとき、平面視で、前記第１の本体部の周囲全体が前記第２の本体部の外側に食み出るマスク。
【請求項７】
請求項１乃至６の何れかに記載のマスクにおいて、  前記第２の本体部の外面の色は、前記第１の本体部の外面の色と異なるマスク。
【請求項８】
請求項１乃至７の何れかに記載のマスクにおいて、  前記第１の固定部又は前記第２の固定部の少なくとも一方は、前記装着者の耳に掛けられるループ状の耳掛部材からなるマスク。
【請求項９】
請求項８に記載のマスクにおいて、  前記第１の固定部は、前記耳掛部材からなり、  前記第２の固定部は、前記耳掛部材に対して着脱可能な取付部材からなるマスク。
【請求項１０】
請求項８に記載のマスクにおいて、  前記第２の固定部は、前記耳掛部材からなり、  前記第１の固定部は、前記耳掛部材に対して着脱可能な取付部材からなるマスク。
【請求項１１】
請求項９又は１０に記載のマスクにおいて、  前記取付部材は、前記耳掛部材に結び付けられる一対の紐であるマスク。
【請求項１２】
請求項１乃至１１の何れかに記載のマスクにおいて、  前記第２の固定部の色は、前記第１の固定部の色と異なるマスク。
【請求項１３】
請求項１乃至１２の何れかに記載のマスクにおいて、  前記第１又は第２の本体部に対して着脱可能に設けられた保湿材を備えるマスク。
【請求項１４】
請求項１３に記載のマスクにおいて、  前記保湿材は、前記第１又は第２の本体部に貼付可能であるマスク。
【請求項１５】
請求項１３又は１４に記載のマスクにおいて、  前記第１又は第２の本体部は、前記保湿材を収納するポケットを有するマスク。
【請求項１６】
請求項１５に記載のマスクにおいて、  前記第１又は第２の本体部は、複数の前記ポケットを有するマスク。
【請求項１７】
請求項１３乃至１６の何れかに記載のマスクにおいて、  前記保湿材は、芳香成分を含有するマスク。
【請求項１８】
請求項１３乃至１７の何れかに記載のマスクにおいて、  前記保湿材は、抗菌成分を含有するマスク。
【請求項１９】
請求項１乃至１８の何れかに記載のマスクにおいて、  前記第１の本体部には、当該第１の本体部を前記装着者の顔に密着させるための可塑性の第１の線状部材が設けられており、  前記第２の本体部には、当該第２の本体部を前記装着者の顔に密着させるための可塑性の第２の線状部材が設けられており、  前記第１の線状部材は、前記第１及び第２の本体部の中心が一致するようにして当該第１及び第２の本体部が重ね合わされた状態のときに前記第２の線状部材に重ならない位置に設けられているマスク。
【請求項２０】
請求項１９に記載のマスクにおいて、  前記第１の線状部材は、前記状態のときに前記第２の本体部に重ならない位置に設けられているマスク。
【請求項２１】
請求項１乃至２０の何れかに記載のマスクにおいて、  前記第１及び第２の本体部とは別体に設けられ、装着者の口を覆う第３の本体部と、  前記第３の本体部の左右両側に設けられ、当該第３の本体部を前記装着者の顔に固定するための第３の固定部と、を備えるマスク。
【請求項２２】
請求項２１に記載のマスクにおいて、  前記第２の本体部は、前記第１の本体部よりも小さく、  前記第３の本体部は、前記第２の本体部よりも小さいマスク。
【発明の詳細な説明】
【技術分野】
【０００１】  本発明は、人の鼻や口を覆うマスクに関する。
【背景技術】
【０００２】  従来のマスクとしては、例えば特許文献１に記載されたものがある。同文献に記載されたマスクは、装着者の鼻及び口を覆う本体部と、本体部を装着者の顔に固定するための耳紐とを備えている。本体部は、通気性のシート状素材から形成されている。耳紐は、本体部の左右両側に取り付けられている。
【先行技術文献】
【特許文献】
【０００３】
【特許文献１】特開２０１２−４０１６３号公報
【発明の概要】
【発明が解決しようとする課題】
【０００４】  かかるマスクは、本体部で鼻及び口を覆うことにより、鼻腔内や口腔内に侵入しようとする有害粒子（ＰＭ２．５、花粉、細菌、ウィルス等）を遮断する機能を有する。マスクに求められる遮断機能の程度は、当該マスクを使用する状況によって異なる。例えば、有害粒子の侵入リスクが高い室外でマスクを使用する場合には高い遮断機能が求められるが、有害粒子の侵入リスクが低い室内でマスクを使用する場合であれば低い遮断機能で足りる。しかしながら、特許文献１に記載されたマスクでは、使用状況に応じて遮断機能の程度を調整することができない。【０００５】  本発明は、上記課題に鑑みてなされたものであり、使用状況に応じて遮断機能の程度を調整することが可能なマスクを提供することを目的とする。
【課題を解決するための手段】
【０００６】  本発明によるマスクは、互いに別体に設けられ、装着者の口を覆う第１及び第２の本体部と、上記第１の本体部の左右両側に設けられ、当該第１の本体部を上記装着者の顔に固定するための第１の固定部と、上記第２の本体部の左右両側に設けられ、当該第２の本体部を上記装着者の顔に固定するための第２の固定部と、を備えることを特徴とする。【０００７】  このマスクにおいては、第１の本体部に加えて、第２の本体部が設けられている。第１及び第２の本体部には、それぞれ第１及び第２の固定部が設けられている。このため、第１又は第２の本体部の何れか一方のみが顔に固定された状態（第１の状態）でマスクを使用することも、第１及び第２の本体部の双方が顔に固定された状態（第２の状態）でマスクを使用することもできる。第２の状態では、第１の状態に比して、有害粒子が通過しにくくなり、マスクの遮断機能が高くなる。したがって、装着者は、使用状況に応じて第１の状態と第２の状態とを切り替えることにより、マスクの遮断機能の程度を調整することができる。
【発明の効果】
【０００８】  本発明によれば、使用状況に応じて遮断機能の程度を調整することが可能なマスクが実現される。
【図面の簡単な説明】
【０００９】
【図１】本発明によるマスクの第１実施形態を示す平面図である。
【図２】図１のマスクの本体部１２及び本体部１４が重ね合わされた状態を示す平面図である。
【図３】本発明によるマスクの第２実施形態を示す平面図である。
【図４】図３のマスクにおいて固定部２５が固定部２２に結び付けられた状態を示す平面図である。
【図５】本発明によるマスクの第３実施形態を示す平面図である。
【図６】本発明によるマスクの第４実施形態を示す平面図である。
【図７】変形例に係るマスクを示す平面図である。
【図８】図７のマスクの本体部１２、本体部１４及び本体部１６が重ね合わされた状態を示す平面図である。
【発明を実施するための形態】
【００１０】  以下、図面を参照しつつ、本発明の実施形態について詳細に説明する。なお、図面の説明においては、同一要素には同一符号を付し、重複する説明を省略する。（第１実施形態）
【００１１】  図１は、本発明によるマスクの第１実施形態を示す平面図である。マスク１は、本体部１２（第１の本体部）、本体部１４（第２の本体部）、固定部２２（第１の固定部）、及び固定部２４（第２の固定部）を備えている。
【００１２】  各本体部１２，１４は、矩形のシート状をしており、装着者の口を覆う。各本体部１２，１４は、装着者の目、鼻及び口のうち、鼻及び口のみを覆うものであってもよいし、口のみを覆うものであってもよい。これらの本体部１２，１４は、互いに別体に設けられている。各本体部１２，１４は、通気性を有する材料からなる。かかる材料としては、例えば、不織布又は紙を用いることができる。本体部１２と本体部１４とは、同一の材料からなっていてもよいし、異なる材料からなっていてもよい。また、本体部１２の外面と本体部１４の外面とは、同一の色を有していてもよいし、異なる色を有していてもよい。ここで、外面とは、装着者の顔に対向する面である内面とは反対側の面をいう。
【００１３】  本体部１４は、本体部１２よりも小さい。すなわち、平面視で、本体部１４の面積は、本体部１２の面積よりも小さい。詳細には、本体部１４の上下方向の長さは本体部１２の上下方向の長さよりも小さく、本体部１４の左右方向の長さは本体部１２の左右方向の長さよりも小さい。
【００１４】  本体部１２の左右両側には、本体部１２を装着者の顔に固定するための固定部２２が設けられている。同様に、本体部１４の左右両側には、本体部１４を装着者の顔に固定するための固定部２４が設けられている。これらの固定部２２，２４は、装着者の耳に掛けられるループ状の耳掛部材からなる。かかる耳掛部材としては、例えばゴム紐を用いることができる。固定部２２の色は、本体部１２の色と同一であってもよいし、異なっていてもよい。同様に、固定部２４の色は、本体部１４の色と同一であってもよいし、異なっていてもよい。また、固定部２２と固定部２４とは、同一の色を有していてもよいし、異なる色を有していてもよい。
【００１５】  また、本体部１２には、本体部１２を装着者の顔に密着させるための線状部材３２（第１の線状部材）が設けられている。同様に、本体部１４には、本体部１４を装着者の顔に密着させるための線状部材３４（第２の線状部材）が設けられている。線状部材３２及び線状部材３４は、それぞれ本体部１２の上端及び本体部１４の上端に沿って延在している。線状部材３２は、例えば、本体部１２の上端付近を袋状に形成し、その中に収容すればよい。線状部材３４についても同様である。各線状部材３２、３４は、可塑性を有している。各線状部材３２，３４の材料としては、例えば、金属又は樹脂を用いることができる。
【００１６】  図２は、本体部１２及び本体部１４の中心が一致するようにして本体部１２及び本体部１４が重ね合わされた状態を示す平面図である。同図に示すように、当該状態のとき、平面視で、本体部１２の周囲全体が本体部１４の外側に食み出る。また、同図からわかるように、線状部材３２は、上記状態のときに線状部材３４に重ならない位置に設けられている。特に本実施形態において線状部材３２は、本体部１４にも重ならない位置に設けられている。
【００１７】  マスク１の効果を説明する。マスク１においては、本体部１２に加えて、本体部１４が設けられている。本体部１２及び本体部１４には、それぞれ固定部２２及び固定部２４が設けられている。このため、本体部１２又は本体部１４の何れか一方のみが顔に固定された状態（第１の状態）でマスク１を使用することも、本体部１２及び本体部１４の双方が顔に固定された状態（第２の状態）でマスク１を使用することもできる。第２の状態では、本体部１２と本体部１４とが互いに重ね合わされた状態で装着者の口を覆う。この第２の状態では、第１の状態に比して、有害粒子が通過しにくくなり、マスク１の遮断機能が高くなる。したがって、装着者は、使用状況に応じて第１の状態と第２の状態とを切り替えることにより、マスク１の遮断機能の程度を調整することができる。なお、第２の状態でマスク１を使用する場合、本体部１４は、本体部１２の内面側に配置されてもよいし、本体部１２の外面側に配置されてもよい。
【００１８】  例えば、装着者は、有害粒子の侵入リスクが高い室外（特に人込みの中）では、遮断機能がより高い第２の状態でマスク１を使用する一方で、有害粒子の侵入リスクが低い室内では、第１の状態でマスク１を使用することができる。第１の状態には、第２の状態に比して呼吸がしやすいという利点がある。
【００１９】  本体部１４は、本体部１２よりも小さい。このように大きさの異なる本体部１２，１４が設けられていることにより、第１の状態でマスク１を使用する際、装着者の顔の大きさ等に応じて適度な大きさの本体部（本体部１２又は本体部１４）を選択することが可能となる。
【００２０】  本体部１４の上下方向の長さは、本体部１２の上下方向の長さよりも小さい。このため、本体部１４が本体部１２の内面側に配置されるようにして第２の状態でマスク１を使用した場合、本体部１４の上下両端を本体部１２で覆うことができる。これにより、本体部１４の上下両端から有害粒子が侵入しにくくなる。また、本体部１４の上端から息が漏れにくくなる。かかる息漏れを少なくすることは、眼鏡の曇りを防止する観点から好ましい。
【００２１】  本体部１４の左右方向の長さは、本体部１２の左右方向の長さよりも小さい。このため、本体部１４が本体部１２の内面側に配置されるようにして第２の状態でマスク１を使用した場合、本体部１４の左右両端を本体部１２で覆うことができる。これにより、本体部１４の左右両端から有害粒子が侵入しにくくなる。
【００２２】  本体部１２及び本体部１４が重ね合わされた状態（図２参照）のとき、平面視で、本体部１２の周囲全体が本体部１４の外側に食み出る。このため、本体部１４が本体部１２の内面側に配置されるようにして第２の状態でマスク１を使用した場合、本体部１４の上下両端及び左右両端を本体部１２で覆うことができる。これにより、本体部１４の上下両端からも左右両端からも有害粒子が侵入しにくくなる。
【００２３】  本体部１４の外面の色が本体部１２の外面の色と異なる場合、第１の状態でマスク１を使用する際、本体部１２又は本体部１４の何れを選択するかによって異なる色が呈されることになる。また、本体部１４が本体部１２の外面側に配置されるようにして第２の状態でマスク１を使用した場合には、本体部１４の外面の色のみならず、本体部１２の外面の一部（本体部１４の外側に食み出した部分）の色も見えることになる。このため、マスク１のファッション性が向上する。
【００２４】  固定部２２は、装着者の耳に掛けられるループ状の耳掛部材からなる。これにより、装着者の顔に本体部１２を容易に固定することができる。また、固定部２４も、同様の耳掛部材からなる。これにより、装着者の顔に本体部１４を容易に固定することができる。
【００２５】  固定部２４の色が固定部２２の色と異なる場合、第２の状態でマスク１を使用する際、２色の耳掛部材が露出することになる。これにより、マスク１のファッション性が向上する。また、この場合、本体部１２に設けられた固定部（固定部２２）と、本体部１４に設けられた固定部（固定部２４）とを容易に見分けることができる。このため、第２の状態から第１の状態に切り替える際、本体部１２又は本体部１４の取外しをスムーズに行うことができる。
【００２６】  線状部材３２は、本体部１２及び本体部１４が重ね合わされた状態（図２参照）のときに線状部材３４に重ならない位置に設けられている。このため、線状部材３２及び線状部材３４を顔の立体形状に沿って塑性変形させる際、線状部材３２及び線状部材３４が互いに邪魔になるのを防ぐことができる。これにより、本体部１２及び本体部１４の顔に対する密着度を向上させることができる。
【００２７】  上記状態のとき、線状部材３２は、本体部１４にも重ならない位置に設けられている。これにより、本体部１２における本体部１４から食み出した部分の顔に対する密着度を向上させることができる。（第２実施形態）
【００２８】  図３は、本発明によるマスクの第２実施形態を示す平面図である。マスク２は、本体部１２、本体部１４、固定部２２、及び固定部２５（第２の固定部）を備えている。本体部１２、本体部１４及び固定部２２の構成は、マスク１について説明したとおりである。
【００２９】  本体部１４の左右両側には、本体部１４を装着者の顔に固定するための固定部２５が設けられている。固定部２５は、固定部２２（耳掛部材）に対して着脱可能な取付部材からなる。本実施形態において取付部材は、固定部２２に結び付けられる一対の紐である。対をなしている２本の紐は、本体部１４における略同一の位置に取り付けられている。本体部１４の左右両側には、かかる紐が二対ずつ設けられている。本体部１４の左右両側のそれぞれにおいて、一対の紐は本体部１４の上端近傍に位置し、もう一対の紐は本体部１４の下端付近に位置している。図４に示すように、各対の紐を固定部２２に結び付けることにより、本体部１２を介して本体部１４を装着者の顔に固定することができる。マスク２のその他の構成は、マスク１と同様である。
【００３０】  マスク２の効果を説明する。マスク２においては、固定部２５が固定部２２に対して着脱可能な取付部材からなる。固定部２５を固定部２２に取り付けることにより、本体部１４を装着者の顔に固定することができる。このように固定部２５を耳に掛けることなく本体部１４を顔に固定することができるため、装着者の耳裏にかかる負担を軽減することができる。
【００３１】  上記取付部材は、固定部２２に結び付けられる一対の紐である。これにより、簡易な構成で、固定部２２に対して着脱可能な取付部材を実現することができる。マスク２のその他の効果は、マスク１と同様である。
【００３２】  なお、本実施形態においては、本体部１２に設けられた固定部（第１の固定部）が装着者の耳に掛けられるループ状の耳掛部材からなり、本体部１４に設けられた固定部（第２の固定部）が耳掛部材に対して着脱可能な取付部材からなる場合を例示した。しかし、第２の固定部が耳掛部材からなり、第１の固定部が取付部材からなっていてもよい。（第３実施形態）
【００３３】  図５は、本発明によるマスクの第３実施形態を示す平面図である。マスク３は、本体部１２、本体部１４、固定部２２及び固定部２４に加えて、保湿機能を有する保湿材４２を備えている。本実施形態においては、２つの保湿材４２が設けられている。保湿材４２は、本体部１２又は本体部１４に対して着脱可能に設けられている。保湿材４２は、各本体部１２，１４よりも小さいシート状をしており、本体部１２又は本体部１４に貼付可能である。具体的には、保湿材４２は、その片面に粘着剤が塗布されており、本体部１２，１４に貼付することも、本体部１２，１４から剥離することも可能である。
【００３４】  この保湿材４２は、各本体部１２，１４における任意の位置に貼付することができる。保湿材４２は、各本体部１２，１４の外面に貼付してもよいし、内面に貼付してもよい。また、保湿材４２は、本体部１２及び本体部１４の何れか一方にのみ貼付してもよいし、双方に貼付してもよい。図５は、保湿材４２が本体部１２にのみ貼付された場合を示している。図中の上側の保湿材４２は、概ね、装着者の鼻と口の間の領域に重なる部分に位置している。また、下側の保湿材４２は、概ね、装着者の口の下の領域に重なる部分に位置している。
【００３５】  保湿材４２としては、例えば、保湿成分を含有する液体を含浸させた不織布を用いることができる。保湿成分としては、例えば、コラーゲン、ヒアルロン酸、グリセリン類が挙げられる。
【００３６】  保湿材４２には、保湿成分と共に、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。マスク３のその他の構成は、マスク１と同様である。
【００３７】  マスク３の効果を説明する。マスク３においては、保湿材４２が設けられている。このため、喉の乾燥を効果的に防ぐことができる。しかも、この保湿材４２は、着脱可能に設けられている。これにより、マスク３は、保湿材４２が取り付けられた状態でも、取り外された状態でも使用することができるため、装着者にとっての利便性が高まる。
【００３８】  さらに、保湿材４２は、本体部１２，１４に貼付可能であるため、本体部１２，１４への着脱が容易である。また、保湿材４２を本体部１２，１４における任意の位置に貼付することができるため、装着者は、本体部１２，１４に取り付けられた保湿材４２の位置を変えることにより、保湿の程度を調整することができる。
【００３９】  保湿材４２は、複数設けられている。このため、装着者は、本体部１２，１４に取り付けられた保湿材４２の個数を変えることにより、保湿の程度を調整することができる。ただし、保湿材４２は、１つだけ設けられてもよい。
【００４０】  保湿材４２が芳香成分を含有する場合、当該成分が呼吸時に鼻腔に吸い込まれることにより、装着者は、より快適にマスク３を使用することができる。保湿材４２が抗菌成分を含有する場合、吸気中や呼気中の雑菌が繁殖するのを抑制することができるため、装着者は、より衛生的にマスク３を使用することができる。マスク３のその他の効果は、マスク１と同様である。（第４実施形態）
【００４１】  図６は、本発明によるマスクの第４実施形態を示す平面図である。マスク４は、本体部１２、本体部１４、固定部２２及び固定部２４に加えて、保湿機能を有する保湿材４４を備えている。本実施形態においては、２つの保湿材４４が設けられている。保湿材４４は、本体部１２又は本体部１４に対して着脱可能に設けられている。具体的には、本実施形態において本体部１２又は本体部１４はポケット４６を有しており、このポケット４６内に保湿材４４が出入自由に収納される。保湿材４４は、各本体部１２，１４よりも小さいシート状をしている。保湿材４４としては、保湿材４２と同様、保湿成分を含有する液体を含浸させた不織布を用いることができる。保湿材４４に芳香成分及び／又は抗菌成分が含有されていてもよいことは、保湿材４２と同様である。
【００４２】  ポケット４６は、各本体部１２，１４における任意の位置に設けることができる。ポケット４６は、各本体部１２，１４の外面に設けてもよいし、内面に設けてもよい。また、ポケット４６は、本体部１２及び本体部１４の何れか一方にのみ設けてもよいし、双方に設けてもよい。図６は、ポケット４６が本体部１２及び本体部１４の双方に設けられた場合を示している。同図において、保湿材４４は、本体部１２に設けられたポケット４６に収納されている。図中の上側のポケット４６は、概ね、装着者の鼻と口の間の領域に重なる部分に位置している。また、下側のポケット４６は、概ね、装着者の口の下の領域に重なる部分に位置している。
【００４３】  ポケット４６の材料としては、例えば不織布を用いることができる。ポケット４６は、左右両端及び下端が各本体部１２，１４に接着される一方で、上端は各本体部１２，１４に接着されていない。したがって、ポケット４６は、その上端から保湿材４４を出し入れすることが可能な構造をしている。マスク４のその他の構成は、マスク１と同様である。
【００４４】  マスク４の効果を説明する。マスク４においては、保湿材４４が設けられている。このため、喉の乾燥を効果的に防ぐことができる。しかも、この保湿材４４は、着脱可能に設けられている。これにより、マスク４は、保湿材４４が取り付けられた状態でも、取り外された状態でも使用することができるため、装着者にとっての利便性が高まる。
【００４５】  本体部１２，１４は、保湿材４４を収納するポケット４６を有している。このため、保湿材４４の着脱を容易に行うことができる。さらに、本実施形態においては、複数のポケット４６が設けられている。このため、装着者は、本体部１２，１４に取り付けられた保湿材４４の個数や位置を変えることにより、保湿の程度を調整することができる。ただし、ポケット４６は、１つだけ設けられてもよい。マスク４のその他の効果は、マスク３と同様である。
【００４６】  本発明は、上記実施形態に限定されるものではなく、様々な変形が可能である。上記実施形態においては、２つの本体部（本体部１２，１４）が設けられた場合を例示した。しかし、本体部は、例えば図７に示すように、３つ以上設けられていてもよい。同図においてマスク５は、本体部１２，１４に加えて、本体部１６（第３の本体部）を備えている。
【００４７】  本体部１６は、矩形のシート状をしており、装着者の口を覆う。本体部１６は、装着者の目、鼻及び口のうち、鼻及び口のみを覆うものであってもよいし、口のみを覆うものであってもよい。本体部１６は、本体部１２，１４とは別体に設けられている。本体部１６は、通気性を有する材料からなる。本体部１６の外面は、本体部１２，１４の外面と同一の色を有していてもよいし、異なる色を有していてもよい。本体部１６は、本体部１４よりも小さい。本体部１６の上下方向の長さは本体部１４の上下方向の長さよりも小さく、本体部１６の左右方向の長さは本体部１４の左右方向の長さよりも小さい。
【００４８】  本体部１６の左右両側には、本体部１６を装着者の顔に固定するための固定部２６（第３の固定部）が設けられている。固定部２６は、装着者の耳に掛けられるループ状の耳掛部材からなる。固定部２６の色は、本体部１６の色と同一であってもよいし、異なっていてもよい。固定部２６は、固定部２２，２４と同一の色を有していてもよいし、異なる色を有していてもよい。また、本体部１６には、本体部１６を装着者の顔に密着させるための線状部材３６（第３の線状部材）が設けられている。線状部材３６は、本体部１６の上端に沿って延在している。線状部材３６は、可塑性を有している。
【００４９】  図８は、本体部１２、本体部１４及び本体部１６の中心が一致するようにして本体部１２、本体部１４及び本体部１６が重ね合わされた状態を示す平面図である。同図に示すように、当該状態のとき、平面視で、本体部１４の周囲全体が本体部１６の外側に食み出る。また、同図からわかるように、線状部材３４は、上記状態のときに線状部材３６に重ならない位置に設けられている。特に本実施形態において線状部材３４は、本体部１６にも重ならない位置に設けられている。
【００５０】  かかる構成の場合、本体部１２、本体部１４又は本体部１６の何れか１つのみが顔に固定された状態（第１の状態）、これらの何れか２つのみが顔に固定された状態（第２の状態）、及びこれらの全てが顔に固定された状態（第３の状態）の何れでもマスク５を使用することができる。第３の状態では、本体部１２、本体部１４及び本体部１６が互いに重ね合わされた状態で装着者の口を覆う。第２の状態では、第１の状態に比して、有害粒子が通過しにくくなり、マスク５の遮断機能が高くなる。さらに、第３の状態では、第２の状態に比して、有害粒子が通過しにくくなり、マスク５の遮断機能が高くなる。したがって、装着者は、使用状況に応じて第１、第２又は第３の状態を切り替えることにより、マスク５の遮断機能の程度を調整することができる。
【００５１】  マスク５においては、このように３つの状態間での切替えが可能であるため、２つの状態間での切替えしかできない場合よりも、遮断機能の程度を細かく調整することができる。例えば、室内では第１の状態でマスク５を使用する一方で、室外では第２又は第３の状態でマスク５を使用することが考えられる。室外で使用する場合において、ＰＭ２．５の発生時やインフルエンザの流行時のように有害粒子を特に避けたい状況下では第３の状態でマスク５を使用し、その他の状況下では第２の状態でマスク５を使用するということも可能である。
【００５２】  なお、マスク５においては、本体部１２に設けられた固定部（第１の固定部）、本体部１４に設けられた固定部（第２の固定部）及び本体部１６に設けられた固定部（第３の固定部）の全てが、装着者の耳に掛けられるループ状の耳掛部材からなっている。しかし、第１、第２及び第３の固定部の何れか１つ又は２つは、耳掛部材に対して着脱可能な取付部材からなっていてもよい。
【００５３】  上記実施形態においては、本体部１４が本体部１２よりも小さい場合を例示した。しかし、本体部１４は、本体部１２と同一の大きさをしていてもよい。同様に、図７に示した本体部１６は、本体部１４と同一の大きさをしていてもよい。
【００５４】  上記実施形態においては、本体部１２及び本体部１４にそれぞれ線状部材３２及び線状部材３４が設けられた場合を例示した。しかし、これらの線状部材３２及び線状部材３４を設けることは、必須でない。線状部材３２又は線状部材３４の何れか一方のみを設けてもよいし、何れも設けなくてもよい。同様に、図７に示した本体部１６においても、線状部材３６を設けることは必須でない。
【符号の説明】
【００５５】１  マスク２  マスク３  マスク４  マスク５  マスク１２  本体部（第１の本体部）１４  本体部（第２の本体部）１６  本体部（第３の本体部）２２  固定部（第１の固定部）２４  固定部（第２の固定部）２５  固定部（第２の固定部）２６  固定部（第３の固定部）３２  線状部材（第１の線状部材）３４  線状部材（第２の線状部材）３６  線状部材（第３の線状部材）４２  保湿材４４  保湿材４６  ポケット
【図１】
2017187590.tif 000003
【図２】
2017187590.tif 000004
【図３】
2017187590.tif 000005
【図４】
2017187590.tif 000006
【図５】
2017187590.tif 000007
【図６】
2017187590.tif 000008
【図７】
2017187590.tif 000009
【図８】
2017187590.tif 000010
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
互いに別体に設けられ、装着者の口を覆う第１及び第２の本体部と、
前記第１の本体部の左右両側に設けられ、当該第１の本体部を前記装着者の顔に固定するための第１の固定部と、
前記第２の本体部の左右両側に設けられ、当該第２の本体部を前記装着者の顔に固定するための第２の固定部と、を備え、
前記第１及び第２の固定部の一方は、前記装着者の耳に掛けられるループ状の耳掛部材からなり、
前記第１及び第２の固定部の他方は、前記耳掛部材に結び付けられる一対の紐からなることを特徴とするマスク。
【請求項２】
請求項１に記載のマスクにおいて、
前記第２の本体部は、前記第１の本体部よりも小さいマスク。
【請求項３】
請求項２に記載のマスクにおいて、
前記第１及び第２の本体部は、矩形をしているマスク。
【請求項４】
請求項３に記載のマスクにおいて、
前記第２の本体部の上下方向の長さは、前記第１の本体部の上下方向の長さよりも小さいマスク。
【請求項５】
請求項３又は４に記載のマスクにおいて、
前記第２の本体部の左右方向の長さは、前記第１の本体部の左右方向の長さよりも小さいマスク。
【請求項６】
請求項２乃至５の何れかに記載のマスクにおいて、
前記第１及び第２の本体部の中心が一致するようにして当該第１及び第２の本体部が重ね合わされた状態のとき、平面視で、前記第１の本体部の周囲全体が前記第２の本体部の外側に食み出るマスク。
【請求項７】
請求項１乃至６の何れかに記載のマスクにおいて、
前記第２の本体部の外面の色は、前記第１の本体部の外面の色と異なるマスク。
【請求項８】
請求項１乃至７の何れかに記載のマスクにおいて、
前記第２の固定部の色は、前記第１の固定部の色と異なるマスク。
【請求項９】
請求項１乃至８の何れかに記載のマスクにおいて、
前記第１又は第２の本体部に対して着脱可能に設けられた保湿材を備えるマスク。
【請求項１０】
請求項９に記載のマスクにおいて、
前記保湿材は、前記第１又は第２の本体部に貼付可能であるマスク。
【請求項１１】
請求項９又は１０に記載のマスクにおいて、
前記第１又は第２の本体部は、前記保湿材を収納するポケットを有するマスク。
【請求項１２】
請求項１１に記載のマスクにおいて、
前記第１又は第２の本体部は、複数の前記ポケットを有するマスク。
【請求項１３】
請求項９乃至１２の何れかに記載のマスクにおいて、
前記保湿材は、芳香成分を含有するマスク。
【請求項１４】
請求項９乃至１３の何れかに記載のマスクにおいて、
前記保湿材は、抗菌成分を含有するマスク。
【請求項１５】
請求項１乃至１４の何れかに記載のマスクにおいて、
前記第１の本体部には、当該第１の本体部を前記装着者の顔に密着させるための可塑性の第１の線状部材が設けられており、
前記第２の本体部には、当該第２の本体部を前記装着者の顔に密着させるための可塑性の第２の線状部材が設けられており、
前記第１の線状部材は、前記第１及び第２の本体部の中心が一致するようにして当該第１及び第２の本体部が重ね合わされた状態のときに前記第２の線状部材に重ならない位置に設けられているマスク。
【請求項１６】
請求項１５に記載のマスクにおいて、
前記第１の線状部材は、前記状態のときに前記第２の本体部に重ならない位置に設けられているマスク。
【請求項１７】
請求項１乃至１６の何れかに記載のマスクにおいて、
前記第１及び第２の本体部とは別体に設けられ、装着者の口を覆う第３の本体部と、
前記第３の本体部の左右両側に設けられ、当該第３の本体部を前記装着者の顔に固定するための第３の固定部と、を備えるマスク。
【請求項１８】
請求項１７に記載のマスクにおいて、
前記第２の本体部は、前記第１の本体部よりも小さく、
前記第３の本体部は、前記第２の本体部よりも小さいマスク。
【国際調査報告】
2017187590.tif 000011
2017187590.tif 000012
2017187590.tif 000013
2017187590.tif 000014